(57)【特許請求の範囲】
【請求項１】
商用交流電源から位相制御方式の調光器を介して受け取った交流電圧を整流・降圧してランプに給電する電源回路であって、
前記交流電圧を整流し、平滑して脈流の直流電圧にする、整流回路および平滑用コンデンサを有する整流・平滑回路と、
前記直流電圧を降圧するスイッチング方式の降圧回路と、
前記整流・平滑回路の一次側に設けられたラインフィルタとを備えており、
前記ラインフィルタは、前記整流・平滑回路および前記商用交流電源を電気的に接続する一対の給電ラインの間において、前記整流・平滑回路に対して並列に取り付けられたノイズ防止用コンデンサと、
前記整流・平滑回路および前記ノイズ防止用コンデンサの間において、前記一対の給電ラインの少なくとも一方に取り付けられたフィルタ用抵抗とを有し、
低減するスイッチングノイズの最低周波数をｆｍｉｎ［Ｈｚ］とし、前記ノイズ防止用コンデンサの容量値をＣ［Ｆ］としたとき、前記フィルタ用抵抗の抵抗値Ｒ［Ω］は、式１を満たしており、
前記ノイズ防止用コンデンサの容量値は前記調光器に影響を与えない程度に低く設定されていることを特徴とする電源回路。
Ｒ ＞ １／（２π×ｆｍｉｎ×Ｃ） … 式１
【発明の詳細な説明】
【技術分野】
【０００１】
本発明は、スイッチング方式の降圧回路で生じるスイッチングノイズを低減するノイズ防止用コンデンサを備えた電源回路に関する。
【背景技術】
【０００２】
従来の白熱電球に比べて、消費電力が低く、かつ、長寿命といった長所を有する発光ダイオード（以下、「ＬＥＤ」という。）は、需要者のエコロジー意識の高まりとともに、省エネ対策のひとつとしてその使用範囲が急速に広まっており、また、白熱電球の代替としてＬＥＤを使用したいというニーズも高まっている。
【０００３】
ところがＬＥＤは商用電圧（例えば、６０Ｈｚ、１００Ｖ）よりも低い「直流」電圧で作動することから、商用電圧を用いてＬＥＤを点灯する際には当該商用電圧を降圧・整流（＝直流電圧に変換）あるいは整流・降圧してＬＥＤに給電する電源回路が必須となる。
【０００４】
このような電源回路として、先に商用交流電源からの交流電圧を整流して直流電圧に変換し、然る後、当該直流電圧をスイッチング回路で降圧してＬＥＤに供給するものが開発されている（例えば、特許文献１）。
【０００５】
特許文献１に記載された電源回路１は、図３に示すように、商用交流電源２から供給され、トライアック３ａを用いた位相制御方式の調光器３を介して入力された交流電圧を、ダイオードブリッジ４ａおよび平滑用コンデンサ４ｂを有する整流・平滑回路４で整流・平滑し、然る後、スイッチング素子を使用した降圧チョッパ回路５で所定の電圧まで降圧した後、ＬＥＤ６（特許文献１では、複数のＬＥＤが順方向に直列接続されている。）に供給するものである。
【０００６】
この電源回路１によれば、商用交流電源２からの交流電圧を整流・平滑回路４で直流電圧に変換した後、これを降圧チョッパ回路５でＬＥＤ６に応じた電圧まで降圧し、これをＬＥＤ６に供給することによって当該ＬＥＤ６を点灯させることができる。
【０００７】
ここで、位相制御方式の調光器３を用いてＬＥＤ６を調光するためには、整流・平滑回路４では平滑用コンデンサ４ｂの容量を小さくして「脈流」の直流電圧にする必要がある。なぜならば、平滑用コンデンサ４ｂの容量を大きくして一定電圧の直流にすると、トライアック３ａの導通角９０度〜１８０度における、整流・平滑後の直流電圧の変化が少なくなり、ＬＥＤ６を調光できなくなるからである。さらには、コンデンサインプット回路になっていることで、入力電流波形の歪みが大きく、トライアック３ａの保持電流を維持できなくなって、誤動作が発生し、フリッカの原因になるからである。
【先行技術文献】
【特許文献】
【０００８】
【特許文献１】特開２００４−２９６２０５号公報
【発明の概要】
【発明が解決しようとする課題】
【０００９】
このような電源回路１の降圧チョッパ回路５に使用されているスイッチング素子を動作させると、当該スイッチング素子からスイッチングノイズ（高周波ノイズ）が発生するが、このスイッチングノイズのうち、周波数が比較的低い低周波数域のスイッチングノイズ（１５０ｋＨｚ〜１ＭＨｚ）は特に商用電源側に戻り易いことから、電源回路１では、このスイッチングノイズ対策として、整流・平滑回路４の一次側にノイズ防止用コンデンサ７が取り付けられている。
【００１０】
しかしながら、このノイズ防止用コンデンサ７は、上述のようにスイッチング素子からのスイッチングノイズ対策として有効であるものの、その一方でノイズ防止用コンデンサ７が存在することによって当該ノイズ防止用コンデンサ７を流れる交流電流が進相電流となり、この進相電流が調光器３にも流れることによって調光器３で使用されているトライアック３ａが誤動作し、ＬＥＤ６のちらつき現象を引き起こすおそれがあった。
【００１１】
すなわち、調光器３は、トライアック３ａがオンする位相角（点弧位相角）を位相制御信号で制御することによってＬＥＤ６に供給する商用交流電圧の実効値を変化させてＬＥＤ６の負荷を調光制御するものであり、トライアック３ａは、位相制御信号がオンになった後、通流する電流値が保持電流値以下になったときに、トライアック自身の特性でオフになるように動作する。したがって、調光器３に進相電流が流れたとき、商用交流電圧が０Ｖのタイミングで既にトライアック３ａに保持電流以上の電流が流れている場合、トライアック３ａをオフできずに、交流電流の次の半周期にわたって電流がゼロになるまでトライアック３ａはオン状態を維持したままになってしまう場合がある。
【００１２】
また、進相電流は、商用交流電圧が０Ｖとなるタイミングよりも前に０Ａとなるので、トライアック３ａが早いタイミングでオフになってしまう場合もある。また、一般に、１台の調光器３に複数の電源回路１が並列接続されることから、電源回路１に含まれるノイズ防止用コンデンサ７も複数個並列接続されることになり、その分進相電流は増大して、トライアック３ａの誤動作が生じる可能性はさらに大きくなる。
【００１３】
ところで、電源回路１の整流・平滑回路４には、ノイズ防止用コンデンサ７とは別に、ダイオードブリッジ４ａによる整流後の電圧を平滑化する平滑用コンデンサ４ｂが取り付けられており、この平滑用コンデンサ４ｂは、ノイズ防止用コンデンサ７と同様、スイッチングノイズを低減する効果も備えている。
【００１４】
そこで、平滑用コンデンサ４ｂの容量を大きく設定し、ノイズ防止用コンデンサ７の容量を小さくすることによって上述のような進相電流の問題を解消することも考えられるが、この場合には別の問題が生じることになる。
【００１５】
すなわち、平滑用コンデンサ４ｂの容量を大きく設定すると、整流・平滑回路４で整流された交流電圧は一定電圧の直流となってしまい、位相制御方式の調光器３を用いたＬＥＤ６の調光ができなくなるおそれがあった。
【００１６】
加えて、容量の大きな平滑用コンデンサ４ｂには、その構造上大容量のものが作り易い電解コンデンサを使用することが一般的であるところ、電解コンデンサには、温度による寿命依存性があることから、この電解コンデンサの寿命が電源回路１の寿命の律速となるおそれがあった。
【００１７】
さらに、ノイズ防止用コンデンサ７および平滑用コンデンサ４ｂの容量（すなわち、電源回路１全体で使用されているコンデンサの容量）が大きいと、電源回路１の入力力率が低くなり、その分入力電流を増加させなければならないという問題もあった。
【００１８】
本発明は、このような従来技術の問題に鑑みて開発されたものである。それゆえに本発明の主たる課題は、電源回路全体においてスイッチングノイズの低減のために必要なコンデンサの容量を減少させることにより、ノイズ防止用コンデンサの容量と平滑用コンデンサの容量とを同時に小さくすることができる結果、進相電流によって調光器のトライアックが誤動作することにより、ＬＥＤ６に「ちらつき現象」が生じるおそれを低減できるとともに、整流・平滑回路で整流・平滑された交流電圧が一定電圧の直流となって調光ができなくなるおそれがなく、また、温度特性の良好な小容量のフィルムコンデンサ等を平滑用コンデンサとして使用することによって電源回路の寿命の律速となる電解コンデンサの使用を回避することができ、さらに、入力力率の低下も回避することのできる電源回路を提供することにある。
【課題を解決するための手段】
【００１９】
請求項１に記載した発明は、「商用交流電源１２から位相制御方式の調光器１４を介して受け取った交流電圧Ｖｉを整流・降圧してランプ１６に給電する電源回路１０であって、
前記交流電圧Ｖｉを整流し、平滑して脈流の直流電圧Ｖｄｃにする、整流回路２６および平滑用コンデンサ２８を有する整流・平滑回路１８と、
前記直流電圧Ｖｄｃを降圧するスイッチング方式の降圧回路２０と、
前記整流・平滑回路１８の一次側に設けられたラインフィルタ２２とを備えており、
前記ラインフィルタ２２は、前記整流・平滑回路１８および前記商用交流電源１２を電気的に接続する一対の給電ライン４４の間において、前記整流・平滑回路１８に対して並列に取り付けられたノイズ防止用コンデンサ４０と、
前記整流・平滑回路１８および前記ノイズ防止用コンデンサ４０の間において、前記一対の給電ライン４４の少なくとも一方に取り付けられたフィルタ用抵抗４２とを有し、
低減するスイッチングノイズの最低周波数をｆｍｉｎ［Ｈｚ］とし、前記ノイズ防止用コンデンサ４０の容量値をＣ［Ｆ］としたとき、前記フィルタ用抵抗４２の抵抗値Ｒ［Ω］は、式１を満たしており、前記ノイズ防止用コンデンサ４０の容量値は前記調光器１４に影響を与えない程度に低く設定されている」ことを特徴とする電源回路１０であり、式１は、以下の通りである。
Ｒ ＞ １／（２π×ｆｍｉｎ×Ｃ） … 式１
【００２０】
本発明の電源回路１０は、スイッチング方式の降圧回路２０のスイッチング動作によるスイッチングノイズを防止するためにラインフィルタ２２を備えており、このラインフィルタ２２は、一対の給電ライン４４の間において、整流・平滑回路１８に対して並列に取り付けられたノイズ防止用コンデンサ４０と、整流・平滑回路１８およびノイズ防止用コンデンサ４０の間において、一対の給電ライン４４の少なくとも一方に取り付けられたフィルタ用抵抗４２とを有している。
【００２１】
発明者らは、ノイズ防止用コンデンサ４０にフィルタ用抵抗４２を加えてラインフィルタ２２を構成することにより、フィルタ用抵抗４２を備えていない従来の電源回路１と比較して、電源回路１０全体においてスイッチングノイズの低減のために必要となるコンデンサの容量を低く抑えつつ、低周波数域のスイッチングノイズの低減効果を高くすることができることを見出した。
【００２２】
ノイズ防止用コンデンサ４０とフィルタ用抵抗４２とで構成したラインフィルタ２２を有する電源回路１０を用いた具体的な実験結果について説明すると、ノイズ防止用コンデンサ４０の容量を０．１μＦに、平滑用コンデンサ２８の容量を０．１μＦに、フィルタ用抵抗４２の抵抗値を２２Ωにそれぞれ設定して実施例を構成したとき、図２に示すように、ノイズ防止用コンデンサ７の容量を０．１μＦに、平滑用コンデンサ４ｂの容量を０．１μＦに、フィルタ用抵抗なし（＝０Ω）とした従来例では、１５０〜５００ｋＨｚ付近の帯域で電源回路１の入口におけるスイッチングノイズの電圧レベルが５０〜６０ｄＢμＶとなっているのに対して、実施例では、同帯域におけるスイッチングノイズの電圧レベルが３５〜４０ｄＢμＶとなっており、低周波数域のスイッチングノイズの低減効果が極めて高くなっているのがわかる。
【００２３】
仮に、従来例の電源回路１においてスイッチングノイズの低減に寄与するコンデンサの容量を大きくして上記実施例レベルのスイッチングノイズの低減効果を得ようとすると、ノイズ防止用コンデンサ７あるいは平滑用コンデンサ４ｂの容量を１μＦ以上に設定しなければならならず、この場合、「ちらつき現象」（ノイズ防止用コンデンサ７の容量を大きくした場合）または「調光ができなくなる状態」（平滑用コンデンサ４ｂの容量を大きくした場合）が発生し、また、どちらの場合も入力力率の低下が発生することになる。
【００２４】
また、ノイズ防止用コンデンサ４０とフィルタ用抵抗４２とで構成したラインフィルタ２２の遮断周波数ｆ０は、ｆ０[Ｈｚ]＝１／（２π×「ノイズ防止用コンデンサ４０の容量値[Ｆ]」×「フィルタ用抵抗４２の抵抗値[Ω]」）で計算することができるので、上記実施例の場合、遮断周波数ｆ０は、ｆ０＝１／（２π×０．１×１０-6×２２）≒７２，０００Ｈｚ＝７２ｋＨｚとなり、７２ｋＨｚよりも高いスイッチングノイズ（低周波数域（１５０ｋＨｚ〜１ＭＨｚ）を含む）を低減できることがわかる。
【００２５】
また、従来例の電源回路１の場合、電源回路１への入力力率は６３％であったのに対し、本発明の電源回路１０の場合、電源回路１０への入力力率は６９％となり、電源回路１０全体としてのコンデンサ容量を低減できたことによって力率が改善されていることがわかった。
【００２７】
また、この発明は、ラインフィルタ２２に用いられるフィルタ用抵抗４２の下限値を設定するものである。この発明によれば、低減すべきノイズの周波数が決められた各種規格（使用場所や使用用途に応じて適用される規格であり、例えば、ＣＩＳＰＲ規格であれば当該周波数範囲は、１５０ｋＨｚ〜３０ＭＨｚとなっており、電気用品の場合は、５２６．５ｋＨｚ〜３０ＭＨｚとなっている。）に基づいて、低減すべきスイッチングノイズの最低周波数ｆｍｉｎ［Ｈｚ］を設定し、調光器１４のトライアック４６に影響を与えない程度のノイズ防止用コンデンサ４０の容量値Ｃ［Ｆ］を設定したとき、フィルタ用抵抗４２の抵抗値が上記式１を満足することにより、設定した最低周波数ｆｍｉｎ［Ｈｚ］以上のスイッチングノイズを低減することができる。
【発明の効果】
【００２８】
本発明の電源回路によれば、スイッチング方式の降圧回路から発生するスイッチングノイズの低減効果を高めることによって電源回路全体においてスイッチングノイズの低減のために必要なコンデンサの容量を減少させることができるので、「ちらつき現象」が生じるおそれを低減できるとともに、ランプの調光ができなくなるおそれがなく、電解コンデンサの使用を回避することができ、さらに、入力力率の低下も回避することのできる電源回路を提供することができた。
【図面の簡単な説明】
【００２９】
【図１】本発明の電源回路を示す図である。
【図２】本発明の実施例と従来例とにおける、スイッチングノイズの低減効果を示すグラフである。
【図３】従来技術の電源回路を示す図である。
【発明を実施するための形態】
【００３０】
以下、本発明を適用した電源回路１０について、図面を用いて説明する。図１は本実施例の電源回路１０を示す図であり、図２は実施例と従来例とにおける、スイッチングノイズの低減効果を示すグラフである。
【００３１】
電源回路１０は、商用交流電源１２から、位相制御方式の調光器１４を介して受け取った交流電圧Ｖｉを整流し、降圧してランプ１６に給電する回路であり、大略、整流・平滑回路１８と、降圧回路２０と、ラインフィルタ２２とで構成されている。なお、本実施例では２つのＬＥＤが順方向に直列接続されたランプ１６を使用しているが、ランプ１６はもちろんこれに限られるものではなく、例えば１２Ｖの直流電圧で点灯するハロゲンランプ等、商用交流電圧を整流・降圧させた電圧で点灯する光源であればその種類および個数は問わない。
【００３２】
整流・平滑回路１８は、上述のように、位相制御方式の調光器１４を介して受け取った交流電圧Ｖｉを脈流の直流電圧Ｖｄｃに整流し、平滑する回路であり、本実施例では、交流電圧Ｖｉを全波整流して脈流の直流電圧に変換する、４つのダイオード２４ａ〜２４ｄで構成された整流回路（フルブリッジ回路）２６と、整流回路２６の二次側において並列に接続された平滑用コンデンサ２８とを備えている。なお、商用交流電源１２から供給された交流電圧Ｖｉの利用効率は悪くなるが、上記全波整流回路に替えて半波整流回路を使用することもできる。
【００３３】
平滑用コンデンサ２８は、整流回路２６から供給される脈流の直流電圧をより平滑にすると同時にラインフィルタ２２と協働してスイッチングノイズを低減するコンデンサである。本実施例における電源回路１０では、後述するように、スイッチングノイズの低減のために必要なコンデンサの容量を従来のものに比べて小さくすることができるので、平滑用コンデンサ２８の容量は、小容量（例えば０．１μＦ）でよく、また、その種類としては、例えば、温度特性の良好なフィルムコンデンサを用いることができる。
【００３４】
降圧回路２０は、整流・平滑回路１８の二次側に並列に取り付けられ、整流・平滑回路１８で整流され、平滑された脈流の直流電圧を降圧するための回路であり、スイッチング用ＦＥＴ（電界効果トランジスタ）３０、高速ダイオード３２、および限流用インダクタンス３４で構成されたＦＥＴスイッチング部３５と、電流検出用抵抗３６と、スイッチング動作用内部発振器を有し、ＦＥＴスイッチング部３５のスイッチング用ＦＥＴ３０をオン・オフ制御するＰＷＭ（パルス幅制御）回路３８とで構成されている。なお、ＰＷＭ回路３８には、例えば、Ｓｕｐｅｒｔｅｘ社のＬＥＤドライバーＩＣ「ＨＶ９９１０」が用いられる。
【００３５】
この降圧回路２０は、ランプ１６の点灯電流を電流検出用抵抗３６にてセンス電圧（電流検出用抵抗３６のセンス電圧＝点灯電流×電流検出用抵抗３６の抵抗値）として検出し、当該センス電圧に対応してＰＷＭ回路３８から出力されたパルス幅信号に応じてＦＥＴスイッチング部３５をスイッチング動作させ、これによってＦＥＴスイッチング部３５から出力される点灯電流をパルス幅制御して、ランプ１６に一定点灯電流を供給するようになっている。
【００３６】
ラインフィルタ２２は、整流・平滑回路１８の一次側に設けられた、降圧回路２０におけるスイッチング動作によって発生したスイッチングノイズが上流側（すなわち、調光器１４や商用交流電源１２側）に伝わるのを防止する役割を有しており、ノイズ防止用コンデンサ４０と、フィルタ用抵抗４２とを有している。
【００３７】
ノイズ防止用コンデンサ４０は、整流・平滑回路１８および商用交流電源１２を電気的に接続する一対の給電ライン４４間において、すなわち整流・平滑回路１８の一次側において、整流・平滑回路１８に並列に取り付けられたコンデンサである。ノイズ防止用コンデンサ４０に用いられるコンデンサのタイプはどのようなものでも選択することができるが、本実施例のノイズ防止用コンデンサ４０の容量は、上述した平滑用コンデンサ２８と同様に小容量でよいことから、温度特性の良好なフィルムコンデンサを用いるのが好適である。
【００３８】
フィルタ用抵抗４２は、整流・平滑回路１８とノイズ防止用コンデンサ４０との間において、一対の給電ライン４４の少なくとも一方（本実施例では、図中下側の給電ライン４４）に取り付けられた抵抗である。もちろん、整流・平滑回路１８とノイズ防止用コンデンサ４０との間において、フィルタ用抵抗４２を他方の給電ライン４４（図中上側の給電ライン４４）に取り付けてもよいし、一対の給電ライン４４の両方に取り付けてもよい。
【００３９】
フィルタ用抵抗４２の抵抗値Ｒ［Ω］は、低減するスイッチングノイズの最低周波数をｆｍｉｎ［Ｈｚ］とし、ノイズ防止用コンデンサ４０の容量値をＣ［Ｆ］としたとき、下記の［式１］を満たすように設定するのが好適である。
Ｒ  ＞  １／（２π×ｆｍｉｎ×Ｃ）  …  式１
【００４０】
これによれば、低減すべきノイズの周波数が決められた各種規格（使用場所や使用用途に応じて適用される規格であり、例えば、ＣＩＳＰＲ規格であれば当該周波数範囲は、１５０ｋＨｚ〜３０ＭＨｚとなっており、電気用品の場合は、５２６．５ｋＨｚ〜３０ＭＨｚとなっている。）に基づいて、低減すべきスイッチングノイズの最低周波数ｆｍｉｎ［Ｈｚ］を設定し、調光器１４のトライアック４６に影響を与えない程度のノイズ防止用コンデンサ４０の容量値Ｃ［Ｆ］を設定したとき、フィルタ用抵抗４２の抵抗値が上記式１を満足することにより、設定した最低周波数ｆｍｉｎ以上のスイッチングノイズを低減することができる。
【００４１】
例えば、最低周波数ｆｍｉｎを１５０ｋＨｚ、ノイズ防止用コンデンサ４０の容量を０．１μＦとしたとき、Ｒ＞１／（２π×０．１×１０-6×１５０×１０3）＝１０．６Ωとなることから、フィルタ用抵抗４２の抵抗値が１１Ω以上であれば、最低周波数以上のスイッチングノイズを低減できる。
【００４２】
調光器１４（なお、調光器１４は電源回路１０を構成する要素ではない。）は、トライアック４６を用いた位相制御方式のものであり、当該トライアック４６がオンする位相角（点弧位相角）を位相制御信号によって制御することにより、電源回路１０を介してランプ１６に供給する電流の実行値を変化させ、ランプ１６を調光制御する。
【００４３】
このような電源回路１０に、調光器１４を介して商用交流電源１２からの交流電圧Ｖｉを供給すると、当該交流電圧Ｖｉは、給電ライン４４を介し、ラインフィルタ２２を通過して整流・平滑回路１８に導入される。整流・平滑回路１８に導入された交流電圧Ｖｉは、当該整流・平滑回路１８で全波整流され、平滑された後、脈流の直流電圧Ｖｄｃとして整流・平滑回路１８の二次側に取り付けられた降圧回路２０に供給される。そして、降圧回路２０に供給された脈流の直流電圧Ｖｄｃを受けた降圧回路２０は、所定の電圧（例えば、数Ｖから十数Ｖ）まで降圧した一定点灯電流をランプ１６に供給する。
【００４４】
本実施例の電源回路１０におけるラインフィルタ２２は、ノイズ防止用コンデンサ４０と、一対の給電ライン４４のいずれか一方に取り付けられたフィルタ用抵抗４２とで構成されており、フィルタ用抵抗を備えていない従来の電源回路１と比較して、ノイズ防止用コンデンサ４０の容量を低く抑えつつ、低周波数域のスイッチングノイズの低減効果を極めて高くすることができる。
【００４５】
このことを具体的な実験結果を用いて説明すると、ノイズ防止用コンデンサ４０とフィルタ用抵抗４２とで構成したラインフィルタ２２を有する電源回路１０を用いた具体的な実験結果について説明すると、ノイズ防止用コンデンサ４０の容量を０．１μＦに、平滑用コンデンサ２８の容量を０．１μＦに、フィルタ用抵抗４２の抵抗値を２２Ωにそれぞれ設定して実施例を構成したとき、図２に示すように、ノイズ防止用コンデンサ７の容量を０．１μＦに、平滑用コンデンサ４ｂの容量を０．１μＦに、フィルタ用抵抗なし（＝０Ω）とした従来例では、１５０〜５００ｋＨｚ付近の帯域で電源回路１の入口におけるスイッチングノイズの電圧レベルが５０〜６０ｄＢμＶとなっているのに対して、実施例では、同帯域におけるスイッチングノイズの電圧レベルが３５〜４０ｄＢμＶとなっており、低周波数域のスイッチングノイズの低減効果が極めて高くなっているのがわかる。
【００４６】
仮に、従来例の電源回路１においてスイッチングノイズの低減に寄与するコンデンサの容量を大きくして上記実施例レベルのスイッチングノイズの低減効果を得ようとすると、ノイズ防止用コンデンサ７あるいは平滑用コンデンサ４ｂの容量を１μＦ以上に設定しなければならならず、この場合、「ちらつき現象」（ノイズ防止用コンデンサ７の容量を大きくした場合）または「調光ができなくなる状態」（平滑用コンデンサ４ｂの容量を大きくした場合）が発生し、また、どちらの場合も入力力率の低下が発生することになる。
【００４７】
また、ノイズ防止用コンデンサ４０とフィルタ用抵抗４２とで構成したラインフィルタ２２の遮断周波数ｆ０は、ｆ０[Ｈｚ]＝１／（２π×「ノイズ防止用コンデンサ４０の容量値[Ｆ]」×「フィルタ用抵抗４２の抵抗値[Ω]」）で計算することができるので、上記実施例の場合、遮断周波数ｆ０は、ｆ０＝１／（２π×０．１×１０-6×２２）≒７２，０００Ｈｚ＝７２ｋＨｚとなり、７２ｋＨｚよりも高いスイッチングノイズ（低周波数域（１５０ｋＨｚ〜１ＭＨｚ）を含む）が低減されることがわかる。
【００４８】
また、従来例の電源回路１の場合、電源回路１への入力力率は６３％であったのに対し、本発明の電源回路１０の場合、電源回路１０への入力力率は６９％となり、電源回路１０全体としてのコンデンサ容量を低減できたことによって力率が改善されていることがわかった。
【００４９】
また、上記遮断周波数ｆ０の計算式によれば、フィルタ用抵抗４２の抵抗値を大きくすれば、遮断周波数ｆ０の値が小さくなり、より低い周波数のスイッチングノイズを低減できるようになるが、フィルタ用抵抗４２の抵抗値を大きくすると、フィルタ用抵抗４２による電力損失が増加することから、当該抵抗値を必要以上に大きくするのは得策ではない。この点、ＬＥＤを用いた５Ｗ程度のランプ１６に給電する電源回路１０の場合、入力電流は０．１Ａ以下であり、フィルタ用抵抗４２の抵抗値が上記例のように２２Ω程度であればその電力損失は０．２２Ｗ以下となり特に問題となるような損失にはならない。
【符号の説明】
【００５０】
１０…電源回路
１２…商用交流電源
１４…調光器
１６…ランプ
１８…整流・平滑回路
２０…降圧回路
２２…ラインフィルタ
２４…ダイオード
２６…整流回路
２８…平滑用コンデンサ
３０…スイッチング用ＦＥＴ
３２…高速ダイオード
３４…限流用インダクタンス
３５…ＦＥＴスイッチング部
３６…電流検出用抵抗
３８…ＰＷＭ回路
４０…ノイズ防止用コンデンサ
４２…フィルタ用抵抗
４４…給電ライン
４６…トライアック
【図１】
0005507957.tif 000002
【図２】
0005507957.tif 000003
【図３】
0005507957.tif 000004